(57)【要約】      （修正有）【課題】新聞・書籍・雑誌・各種出版物・企業情報・メディア速報が必要とする人のみに、電子文書として随時取得が出来、全ての文書が同時に携帯所持ができながら音声によっても視聴が可能なメディアブック機器とその情報をどこでも販売可能なシステムの提供。【解決手段】各メディア発信情報を統一の電子言語にして、携帯電話及び通信カードと本申請メディアブックのＩＤをリンクさせる事で、個別に情報が送信管理でき、各営業所で必要情報を取得が可能になる。そして電子言語を統一する事と音声変換ソフトによって、音声読上げ機能を搭載し障害者に、社会情報を容易に伝えることが出来る。統一電子言語と上記のＩＤのリンクをする事で、各種情報が、通信手段の整備する提供者より容易に取得できる。【選択図】図３
2004272862.tif 000002
【特許請求の範囲】
【請求項１】
新聞・書籍・雑誌・企業情報・テレビニュース・行政発信広報・マスコミ情報・企業間の連絡情報・インターネットメール等のメディア情報を電子言語にて送受信機器に集約一斉受配信システムの範囲。
【請求項２】
新聞・書籍・雑誌・企業情報・テレビニュース・行政発信広報・マスコミ情報・企業間の連絡情報・インターネットメールのメディア情報を携帯電話又は通信カードを媒体として、受発信が携帯できる機器開発と販売の範囲。
【請求項３】
新聞・書籍・雑誌・企業情報・テレビニュース・行政発信広報・マスコミ情報・企業間の連絡情報・インターネットメールのメディア情報を携帯電話・通信カードより申込・決済又は各営業所・小売店で販売・購入・決済方法システム範囲。
【請求項４】
同一組織間・行政間の書類情報を電子言語による瞬時一斉受配信システムの範囲。
【請求項５】
上記機器及び情報伝達システムを音声による、変換システムの範囲。
【発明の詳細な説明】
【０００１】
【発明の属する技術分野】本発明はメディア情報・企業組織間・行政情報等の発行有紙文書を、携帯通信機器等で場所と時間の制約を受けず通常の出版物の配達及び購入のように瞬時に受け取り、全ての書籍が携帯所持できる同様に、全ての出版物を同時に携帯出来、情報を視覚と聴覚で確認でき、返信が随時できるメディアブック装置とシステムと販売方法に関する。
【０００２】
【従来の技術】
従来の電子ブック等通信機器の場合は、ＣＤ−Ｒ等を利用して特定の機器のみにしか使用出来ない事が多く、マルチメディア情報を一括で随時受取れない欠点があった。また一般に電子ブックや電子手帳及び出版物は、一度受信したり購入すると変更ができず、購入場所に限定が有り発行情報に限界が多く不便であった。
【０００３】従来のパソコンでの企業情報や新聞の電子言語による通信は情報入手は、受益者の労力で時間が係り複雑な受信技術によって行われている。
【０００４】従来の出版物や電子言語の情報は、場所と時間に限定が有り、提供者の販売所捜索が困難で容易に情報出版物を受け取れない状態である。
【０００５】従来の出版物では、点字出版物が少なく費用が係り手に入れにくく、又音声での読み上げが無く視覚障害者に対して利用出来にくい欠点がある。
【０００６】従来の情報出版物は、一度伝えると訂正や追加情報が困難で、誤ったままの情報状態や、情報の受取りの時間に双方制限が多かった。
【０００７】従来のメディア情報や出版物は、極小の限定出版のみの受信であり、各出版情報別に独自的取得の必要があり、多品種・大容量の情報が同時に利用出来なかった。
【０００８】
【発明が解決しようとする課題】この発明は、このような地球上の資源と時間の無駄や、社会的弱者の福祉問題を鑑みて、全メディア情報の統一受信機器を提供する事で、国家の資源と受益者の時間を節約し、社会的弱者の手助けを容易に出来る、マルチメディア情報の簡単に受信できるメディアブック機器を提供するこことを課題とする。
【０００９】上記の最大課題である従来の新聞・書籍・出版物の紙資源と製作・輸送コストが無駄に使われている。従来の電子言語による新聞・書籍・企業情報は先ずパソコンや専用受信機器が必要であり、費用と時間がかさみ受益者の努力がいる。従来の情報販売提供場所は特定の条件が必要であり、受益者の利用の不便である。又各メディア情報提供が個別対応している複雑な提供方法を簡便に一括的に処理する必要がある。点字出版物等にたよる事で視覚障害者への出版物の制限問題がある。出版業界の事情が違う上記問題を一括で解決するシステムを提供することを課題とする。
【００１０】本メディアブック一台で全ての受信メディア情報の検索と購読・視聴をワンタッチで簡単操作使用できることを課題とする。
【００１１】各有料出版物では、著作権の侵害と違法複写利用が電子で頻繁しており、受益者と契約者の統一性がとれない問題があり、知的所有権の保護をするシステムを課題とする。
【００１２】
【課題を解決するための手段】新聞・書籍・雑誌・企業情報・テレビニュース・行政発信広報・マスコミ情報・企業間の連絡情報・インターネットメールのメディア情報をテキストファイル形式か本申請メディアブックの専用電子言語に統一して、携帯電話・通信カードによる一斉配信システムを利用して、メディアブックの個別受益者に一括配信する事が可能で解決する。
【００１３】受益者は携帯電話・通信カード使用で市販の携帯電話用の端末で、各販売所で簡易登録をすることによって、安全確実に必要とするメディア情報を場所と時間の制約に関係なく、希望情報が個別に受取ることが出来る。又メディアブック専用アダプターを使用することで、販売所にて臨時必要情報等や大容量情報が簡単に事前契約が無くとも取得出来且つ、登録携帯電話とメディアブックのシステムＩＤを一対でリンクさせる事で、情報伝達後の著作権の第三者利用侵害することなく解決する。
【００１４】本申請メディアブック機器は、情報を専用電子言語に統一する事で、どの情報も音声に変換ソフトを利用が簡単可能となり、イヤホン等で視覚障害者等の受益者に提供でき、点字出版物の発行問題の解決が出来る。
【００１５】本メディアブックは、専用端子にケーブルを接続する事で情報をパーソナルコンピューター等へ保管する事が出来、携帯キーボードもしくは従来の物を利用して情報作成が出来るので、本メディアブックで各種電子機器に汎用対応することによって、資源の無駄を省く事が可能になる。
【００１６】
【発明の実施の形態】以下、この発明のメディアブック機器形状と実施形態を図面に基づいて説明する。
【００１７】図１は、メディアブック機器本体の使用時の状態である。通常の形状は日本工業規格の用紙版Ｂ５サイズとして使用状態し、非使用時はそれを二つ折りにした形状とする。全体使用は左右の観音開き形状使用で、通常の書籍と同等使用状態を基本とする。そして操作キー１・２はページめくり等の通常画面切替や送り・戻し動作をワンタッチにて操作することで通常出版物や電子機器の画面以上に容易に利用できることが解決できる。操作キー３・４・５に受益者が常に利用する情報を記憶設定する事で、視覚障害者を含む受益者がより早く簡単に必要情報が選択でき、視力問題を解決される。操作キー６で画面内のタッパネル画面を表示して、全メディア情報目次表示として索引選択をする。
【００１８】図１の操作キー７で本メディアブックの視聴購読利用以外の動作をタッチパネルにて表示して、索引選択をすることで、各種の接続機器の使用して情報の送受信操作が簡単にできる。図２の差込口８にイヤホンを利用する事で、上記のワンタッチ操作やタッチパネルの選択を視覚障害者等に誘導することで問題が解決する。
【００１９】図２の差込口９ＵＳＢ差込口を利用する事で、携帯電話等の通信機器からの情報受信ができ、そしてパソコンへの情報保存とキーボード等電子機器の使用が出来ることで、全ての電子文書の移動時間容易にできる。又電子機器の併用使用ができる。又同ＵＳＢを利用する事で、メディア販売店及び提供者から大容量情報が簡単に早く取得できる。さらに同ＵＳＢの利用でワンタッチ操作を外部主導操作に切替することで、身障問題等を解決できる。
【００２０】図２のカード差込口１０で、通信カード利用する問題が解決でき、更に大容量情報が簡単に受信できる。そして上記の携帯電話と通信カードと本メディアブックＩＤを設定する事で、図６の情報送信概略図のように１契約者に１情報の提供管理が出来ることで著作権の保護問題が解決できる。
【００２１】図３は各メディア情報を電子言語として一連にまとめて配信をして、受益者の携帯電話等の通信機器に一斉配信の手段をとることで、全ての情報が随時に受益者に配信でき、個別配信の問題を解決できる。
【００２２】図４は著作権や有償の情報配信について、配信側の個別データＩＤと契約者の携帯番号とメディアブックＩＤの連動のみで受信できるシステムによって、知的財産の侵害の問題が解決できる。
【００２３】図５は携帯電話の差込口から販売店のジャックＪ１を利用して、図８の概略図のようにワンタッチ操作で簡易登録契約でき、又図７の販売方法概略図で登録同様反転動作で同ジャック等からＵＳＢを通じて有線で情報の配信と販売が出来ることで、各営業所での対応問題が解決できる。
【００２４】図４の配信を利用する事で、既成配信に誤報や更新が、簡単にでき通常情報出版物問題処理ができる。
【００２５】
【発明の効果】請求項１に係るシステムを利用すれば、全メディア情報が一台の機器で、より早く正確に受益者の場所と時間の関係なく自由に受信が出来、資源の無駄なく全ての分野に経済効果が発揮できる。
【００２６】請求項２の係る発明によれば、全てのメディア情報提供者が受益者を個別に管理ができ、随時情報の更新が出来ることでより新鮮で正確な情報簡易に提供できることで、全ての情報提供産業に経済効果が発揮できる。
【００２７】請求項３の係る発明によれば、著作権侵害問題を起こすことなく、また販売所を限定せずに情報の販売が簡単にできることで、あらゆる産業分野の情報提供がスムーズに簡便に利用できる。
【００２８】請求項４の係る発明によれば、受益者の社会的技術弱に余分な機器操作を省き伝達ができ、又反復利用する情報に無駄なく対応できる。
【００２９】請求項５の係る発明によれば、視覚障害者等の簡単に利用出来且つ範囲を大幅に広げ、社会弱者を保護できる。
図の説明
【図面の簡単な説明】
【図１】この発明のメディアブック装置機器使用開放時の外観平面図である。操作キーから７までは使用時のワンタッチ操作ボタンである。
【図２】この発明である、メディアブック機器を格納した外観斜視図で、差込口８から１０までは送受信時と聴聞時の接続口図である。
【図３】この発明の情報提供者から受益者への全体図フローチャートである。
【図４】この発明課題である、知的財産である著作権の管理フローチャートである。
【図５】この発明である、情報提供の為の受益者の登録と、大量データのダウンロードを示すフローチャートである。
【図６】この発明のメディアブック機器に情報を管理配信する概略図である。
【図７】各種情報の販売を営業所を通じて提供する、概略図である。
【図８】受益者が各自必要とする情報提供者に対して、営業所での簡易個別登録方法である。
【符号の説明】
操作キー・・・使用時のワンタッチ選択ボタン
ＩＤ・・・情報受益者の個別管理番号で携帯電話にメディアブックのシリアル番号を相関させた管理番号
【図１】
2004272862.tif 000003
【図２】
2004272862.tif 000004
【図３】
2004272862.tif 000005
【図４】
2004272862.tif 000006
【図５】
2004272862.tif 000007
【図６】
2004272862.tif 000008
【図７】
2004272862.tif 000009
【図８】
2004272862.tif 000010